(57)【要約】【課題】  キャップ筒などに対してクリップ部材を容易に固定可能に構成すると共に、クリップ部材の先端部が軸方向からずれるなどの外見上の不具合が発生するのを効果的に防止することができるクリップ付き筆記具を提供すること。【解決手段】  クリップ部材４には、その中央部に長手方向に沿った窓孔４ａが形成されると共に、前記クリップ部材の取り付け基部は前記窓孔の長手方向の一端部において、互いに内側に向かい合うように形成された少なくとも一対の鍔部４ｄ，４ｅにより構成されている。前記クリップ部材４における一対の鍔部を、クリップ取り付け部を構成する一対の溝部２ｄ，２ｅに嵌合させることにより、天冠部材２に対してクリップ部材４が取り付けられる。前記クリップ部材の非使用状態において、前記クリップ部材の先端部側に形成されたクリップ位置決め用凹部４ｂに対して、キャップ筒１に形成された凸部１ｃが入り込むように構成されている。【選択図】  図１
2006116756.tif 000002
【特許請求の範囲】
【請求項１】
キャップ筒または筆記具軸筒における側壁にクリップ取り付け部を形成し、当該クリップ取り付け部に対して、クリップ部材の取り付け基部を嵌合させることで、前記クリップ部材をキャップ筒または筆記具軸筒に取り付けた構成のクリップ付き筆記具であって、
前記クリップ取り付け部は、前記キャップ筒または筆記具軸筒の側壁に形成された突出部の両側面に沿って施された少なくとも一対の溝部により構成され、
前記クリップ部材には、その中央部に長手方向に沿った窓孔が形成されると共に、前記クリップ部材の取り付け基部は前記窓孔の長手方向の一端部において、互いに内側に向かい合うように形成された少なくとも一対の鍔部により構成され、
前記クリップ部材における一対の鍔部を、前記クリップ取り付け部を構成する一対の溝部に嵌合させることにより、前記キャップ筒または筆記具軸筒に対してクリップ部材を取り付けると共に、前記クリップ部材の非使用状態において、前記クリップ部材の先端部側に形成されたクリップ位置決め用凹部に対して、前記キャップ筒または筆記具軸筒側に形成された凸部が入り込むように構成されていることを特徴とするクリップ付き筆記具。
【請求項２】
前記クリップ取り付け部における一対の溝部および前記クリップ部材における一対の鍔部には、それぞれ鋸歯状の係止部が形成され、前記一対の溝部に対して前記一対の鍔部を嵌合することで、前記互いの鋸歯状の係止部が食い付き状態に係合されるように構成されていることを特徴とする請求項１に記載のクリップ付き筆記具。
【請求項３】
前記クリップ部材の先端部側に形成された凹部が、クリップ部材の長手方向に沿って溝状に形成され、前記キャップ筒または筆記具軸筒側に形成された凸部が、前記溝状の凹部内に遊嵌できるように平板状に形成されていることを特徴とする請求項１または請求項２に記載のクリップ付き筆記具。
【請求項４】
前記キャップ筒または筆記具軸筒側に形成された前記凸部におけるクリップ取り付け部側に向かう立ち上がり角度が、クリップ取り付け部側より前記凸部に向かう立ち上がり角度よりも緩斜面になされていることを特徴とする請求項１ないし請求項３のいずれか１項に記載のクリップ付き筆記具。
【請求項５】
前記キャップ筒または筆記具軸筒の側壁に形成された突出部が、突出方向から視た正面形態が楕円形状になされ、前記クリップ部材の中央部に長手方向に沿って形成された窓孔も楕円形状になされ、前記突出部における楕円形状の一端部が、前記クリップ部材に形成された楕円状窓孔の一端部に内接するようにして前記クリップ部材が前記クリップ取り付け部に取り付けられていることを特徴とする請求項１ないし請求項４のいずれか１項に記載のクリップ付き筆記具。
【発明の詳細な説明】
【技術分野】
【０００１】
この発明は、例えばボールペンに代表される筆記具において、その筆記チップを覆うキャップ筒または筆記具軸筒に対してクリップを取り付けた構成のクリップ付き筆記具に関する。
【背景技術】
【０００２】
現状において提供されている多くの筆記具においては、筆記チップを覆うキャップ筒または筆記具軸筒における筆記チップの他端部側にクリップが取り付けられており、これを利用して例えば衣服のポケット部分やノートブック等の用紙部分に挟み込ませることで、筆記具の不用意な脱落や紛失等が防止できるように配慮されている。
【０００３】
前記したクリップ部材は、筆記チップを覆うキャップ筒が備えられた筆記具においては、キャップ筒に取り付けられており、またキャップ筒の無い例えばノック式の筆記具等においては筆記具軸筒における筆記チップの他端部側に取り付けられた構成にされている。いずれにしても、前記したクリップ部材は、キャップ筒または筆記軸筒に対して樹脂成形により一体に取り付けられた構成のものが多い。
【０００４】
また、デザイン等を考慮してキャップ筒または筆記具の軸筒とは異なる材質によりクリップ部材を成形し、この別成形のクリップ部材をキャップ筒または筆記具の軸筒に後付けする構成のものも提供されている。その代表的なものとして、例えば円環状に形成された取り付け基部と一体にクリップ部材が成形され、前記円環状の取り付け基部をキャップ筒に嵌め込んだ構成のものが特許文献１に示されている。
【特許文献１】特開平８−２１６５９２号公報
【０００５】
また、前記したクリップ部材の取り付け構造の他の例としては、天冠部とクリップ部材とが一体に成形され、この天冠部を例えばキャップ筒の端部に嵌め込むと同時に、ボルトを利用して天冠部をキャップ筒に締結した構成のものが特許文献２に示されている。
【特許文献２】特開２０００−７９７８８号公報
【発明の開示】
【発明が解決しようとする課題】
【０００６】
ところでこの種の筆記具においては、一般的に販売個数の多い主力商品は比較的低価格帯の製品であり、この低価格帯の筆記具においては、その機能上においては格別な差別化を図ることは難しい。したがって前記したような低価格帯の筆記具においては、高級感を醸し出すようなデザイン、もしくは人目を引くようなデザインを施すことが重要であり、これが店頭等においてユーザが製品を選択する上で大きなウエイトを占めることになる。
【０００７】
そこで、天冠部からクリップ部材に至る部分のデザインは特に人目につきやすく、後述するようにクリップ部材の外形が例えば楕円形状になされ、またクリップ部材の中央部に長手方向に沿って楕円形状の窓孔を形成したクリップ部材を使用することが考えられている。
【０００８】
これに加えて、本件出願人はキャップ筒または筆記具軸筒の側壁方向に突出して前記クリップ部材を支持するクリップ取り付け部も、その正面から視た外形形状を相似する楕円状に形成することで、これらの楕円形状が全体として三重に形成されたような感覚を有するデザイン構成の筆記具を提案しようとしている。
【０００９】
前記したように特にデザイン面に配慮した場合においては、特許文献１および特許文献２に示すような比較的強固なクリップ部材の取り付け構成を採用することは難しく、したがってクリップ部材に何らかの力が作用した場合には、クリップ部材の先端部が軸方向から僅かにずれるなどして外見上における不具合が発生し得る。
【００１０】
それ故、この発明は前記したようにデザイン上の観点等から、特許文献１および特許文献２に示すような比較的強固なクリップ部材の取り付け構成を採用することができない筆記具に対して好適に採用し得るクリップ部材の取り付け構成を提案するものであり、さらにクリップ部材の先端部が軸方向から僅かにずれるなどの外見上の不具合が発生するのを効果的に防止することができるクリップ付き筆記具を提供することを課題とするものである。
【課題を解決するための手段】
【００１１】
前記した課題を解決するためになされたこの発明にかかるクリップ付き筆記具は、請求項１に記載のとおり、キャップ筒または筆記具軸筒における側壁にクリップ取り付け部を形成し、当該クリップ取り付け部に対して、クリップ部材の取り付け基部を嵌合させることで、前記クリップ部材をキャップ筒または筆記具軸筒に取り付けた構成のクリップ付き筆記具であって、前記クリップ取り付け部は、前記キャップ筒または筆記具軸筒の側壁に形成された突出部の両側面に沿って施された少なくとも一対の溝部により構成され、前記クリップ部材には、その中央部に長手方向に沿った窓孔が形成されると共に、前記クリップ部材の取り付け基部は前記窓孔の長手方向の一端部において、互いに内側に向かい合うように形成された少なくとも一対の鍔部により構成され、前記クリップ部材における一対の鍔部を、前記クリップ取り付け部を構成する一対の溝部に嵌合させることにより、前記キャップ筒または筆記具軸筒に対してクリップ部材を取り付けると共に、前記クリップ部材の非使用状態において、前記クリップ部材の先端部側に形成されたクリップ位置決め用凹部に対して、前記キャップ筒または筆記具軸筒側に形成された凸部が入り込むように構成されている点に特徴を有する。
【００１２】
前記した構成を採用した場合においては、請求項２に記載のとおり、前記クリップ取り付け部における一対の溝部および前記クリップ部材における一対の鍔部には、それぞれ鋸歯状の係止部が形成され、前記一対の溝部に対して前記一対の鍔部を嵌合することで、前記互いの鋸歯状の係止部が食い付き状態に係合されるように構成されていることが望ましい。
【００１３】
これに加えて請求項３に記載のとおり、前記クリップ部材の先端部側に形成された凹部が、クリップ部材の長手方向に沿って溝状に形成され、前記キャップ筒または筆記具軸筒側に形成された凸部が、前記溝状の凹部内に遊嵌できるように平板状に形成されていることが望ましい。
【００１４】
一方、好ましくは請求項４に記載のとおり、前記キャップ筒または筆記具軸筒側に形成された前記凸部におけるクリップ取り付け部側に向かう立ち上がり角度が、クリップ取り付け部側より前記凸部に向かう立ち上がり角度よりも緩斜面になされた構成とされる。
【００１５】
そして、前記した構成は請求項５に記載のように、前記キャップ筒または筆記具軸筒の側壁に形成された突出部が、突出方向から視た正面形態が楕円形状になされ、前記クリップ部材の中央部に長手方向に沿って形成された窓孔も楕円形状になされ、前記突出部における楕円形状の一端部が、前記クリップ部材に形成された楕円状窓孔の一端部に内接するようにして前記クリップ部材が前記クリップ取り付け部に取り付けられた構成のクリップ付き筆記具に好適に採用することができる。
【発明の効果】
【００１６】
前記した請求項１に記載のクリップ付き筆記具によると、キャップ筒または筆記具軸筒の側壁に形成された突出部には、その両側面に沿って一対の溝部が施されることによりクリップ取り付け部が形成され、この一対の溝部を利用してクリップ部材の窓孔に形成された一対の鍔部を嵌合させることで、クリップ部材を前記クリップ取り付け部に対して取り付けることができる。
【００１７】
そして、クリップ部材の非使用状態において、クリップ部材の先端部側に形成されたクリップ位置決め用凹部に対して、キャップ筒または筆記具軸筒側に形成した凸部が入り込むように構成されているので、クリップ部材に何らかの力が作用した場合においても、クリップ部材の先端部が軸方向に対してずれを発生させるのを効果的に防止させることができる。
【００１８】
また、請求項２に記載の筆記具によると、クリップ取り付け部を構成する一対の溝部と、クリップ部材における一対の鍔部のそれぞれに対して、鋸歯状の係止部を形成した構成とされているので、前記一対の溝部に対してクリップ部材における一対の鍔部を差し込む操作を実行することで互いの鋸歯状の係止部が食い付き状態に係合される。これにより、容易にクリップ部材を取り付けることができ、クリップ部材の取り付け後においては、キャップ筒または筆記具軸筒におけるクリップ取り付け部から、前記クリップ部材が脱落するのを効果的に阻止させることができる。
【００１９】
さらに、請求項３に記載の筆記具によると、クリップ部材の先端部側に形成された凹部をクリップ部材の長手方向に沿って溝状に形成し、キャップ筒または筆記具軸筒側に形成された凸部は、前記溝状の凹部内に遊嵌できるように平板状に形成された構成になされているので、クリップ部材の先端部が軸方向からずれるなどの外見上の不具合の発生を効果的に抑制させることができる。
【００２０】
そして、請求項４に記載のようにキャップ筒または筆記具軸筒側に形成された前記凸部におけるクリップ取り付け部側に向かう立ち上がり角度が、クリップ取り付け部側より凸部に向かう立ち上がり角度よりも緩斜面になされた構成としたことで、筆記具として組み立て後のクリップを装着し易く、また装着した後におけるクリップが不用意に外れるのを防止させることができる。
【００２１】
また、請求項５に記載のように外形が楕円形状になされた突出部における一端部がクリップ部材に形成された楕円状窓孔の一端部に内接するように構成させることで、クリップ部材により例えば胸ポケットに筆記具を装着した状態で、クリップ部材の窓孔と楕円形状の前記突出部との間で、例えば名刺や名札等を挟んで保持させるような実用的な使用方法を採用することもできる。
【発明を実施するための最良の形態】
【００２２】
以下、この発明にかかるクリップ付き筆記具について、図に示す実施の形態に基づいて説明する。なお、以下においては筆記チップを着脱可能にして覆うキャップ筒に対して、クリップ部材を取り付けた実施の形態を例にして説明する。
【００２３】
図１は、クリップ部材を取り付けた状態のキャップ筒の構成を示したものであり、（Ａ）は前記クリップ部材を手前にした状態のキャップ筒の正面図であり、（Ｂ）は（Ａ）におけるａ−ａ線より矢印方向に見た状態の断面図で示している。また図２は、図１に示すキャップ筒を筆記具本体に装着した状態を、筆記具本体の一部を省略して示した断面図である。
【００２４】
符号１はキャップ筒本体を示しており、これは例えばＰＥＴ（ポリエチレンテレフタレート）等の樹脂により成形されている。そして、図１（Ｂ）に断面図で示したとおり、一方の端部には筆記具本体に装着される円形状のキャッピング用開口１ａを備えた円筒形になされ、他方の端部には段状の縮径部１ｂが構成され、この段状の縮径部１ｂに後述する天冠部材２が嵌合されるように構成されている。また、キャップ筒本体１における前記キャッピング用開口１ａ側の外周面には、後述するクリップ部材の位置決めの機能を果たす凸部１ｃが形成されている。なお、前記縮径部１ｂおよび凸部１ｃの構成については、後で詳細に説明する。
【００２５】
符号２は前記キャップ筒本体１に形成された段状の縮径部１ｂに嵌合される天冠部材を示しており、これは例えばＡＢＳ樹脂等により成形されている。この天冠部材２は、ほぼ円錐形に形成されて、その頭部を裁断したような裁頭円錐形状になされ、その内側面を構成する有底穴２ｂには、前記したキャップ筒本体１に形成された段状の縮径部１ｂに嵌合される例えば環状の突起が複数段にわたって形成されている。
【００２６】
また、前記天冠部材２には、その側壁に突出部２ａが一体に形成されており、この突出部２ａは図１（Ａ）に示すように、突出方向から視た正面形態がほぼ楕円形状になされている。そして、前記突出部２ａの両側面に沿って施された後述する一対の溝部により、クリップ取り付け部を構成している。すなわち、この実施の形態においては、キャップ筒本体１とこれに嵌合された天冠部材２とによりキャップ筒３が構成されている。
【００２７】
符号４は前記した天冠部材２に形成された後述するクリップ取り付け部に対して、嵌合状態に取り付けられたクリップ部材を示している。このクリップ部材４は例えばＰＣ（ポリカーボネート）等の樹脂により成形され、その外形形状は偏平な楕円形状になされ、その中央部には長手方向に沿って楕円形状の窓孔４ａが形成されている。
【００２８】
このクリップ部材４における窓孔４ａの一端部には後で詳細に説明するクリップ取り付け基部が形成されており、このクリップ取り付け基部を利用することで、クリップ部材４は前記天冠部材２に形成されたクリップ取り付け部に嵌合状態に取り付けられるように構成されている。
【００２９】
そして、前記クリップ部材４の他端部には、符号４ｂで示すクリップ位置決め用凹部が形成されており、このクリップ部材４の非使用状態において、前記キャップ本体１に形成された凸部１ｃが前記位置決め用凹部４ｂに入り込み、前記クリップ部材４が定位置に位置決めされるように構成されている。
【００３０】
斯くして、この実施の形態におけるキャップ筒３は図１（Ａ）に示すように、前記天冠部材２の側壁に形成された突出部２ａにおける楕円形状の一端部が、前記クリップ部材４に形成された楕円状窓孔４ａの一端部に内接するようにして前記クリップ部材４が前記天冠部材２に取り付けられている。これにより、図１（Ａ）に示されたようにクリップ部材４の外形を構成する楕円形状と共に、楕円が全体として三重に形成されたような感覚を有するデザインになされている。
【００３１】
一方、図１に示したキャップ筒本体１における縮径部１ｂの内側部には、例えばＮＢＲ（ニトリルブタジエンゴム）などの素材を球状に成形したシール部材５が嵌め込まれており、このシール部材５は図２に示したように、キャップ筒３を筆記具本体６に装着した場合において、筆記チップ６ａを受けて変形し、筆記チップ６ａを包囲するように作用する。すなわち、前記筆記具本体６がボールペンである場合においては、シール部材５はボールチップを包囲しインクの乾燥を防止するように作用する。
【００３２】
図３は、前記したキャップ筒本体１の外観構成をさらに拡大して示したものであり、（Ａ）および（Ｂ）は周方向に互いに直交する方向から視た状態の正面図および側面図で示している。このキャップ筒本体１における前記した段状の縮径部１ｂには、図３に示すようテーパ状の傾斜面１ｅと、これを乗り越えた部分に形成された円筒部１ｆと、さらに円筒部１ｆに連なるテーパ状の傾斜面１ｇと、これを乗り越えた部分に形成された円筒部１ｈが軸方向に連続して形成されている。そして、キャップ筒本体１における前記縮径部１ｂの基端部には、軸方向に延びる突起状リブ１ｊが形成されている。
【００３３】
一方、キャップ筒本体１における段状の縮径部１ｂに嵌合される前記した天冠部材２は、すでに説明したようにその有底穴２ｂ内に環状の突起が複数段にわたって形成されており、これらの環状の突起が前記キャップ筒本体１に形成されたテーパ状の傾斜面１ｅ，１ｇをそれぞれ乗り越えた状態で天冠部材２がキャップ筒本体１に取り付けられている。なお、前記キャップ筒本体１に形成された軸方向に延びる突起状リブ１ｊは、キャップ筒本体１に対する天冠部材２の周方向の取り付け位置を合わせるために利用される。
【００３４】
また、キャップ筒本体１の外周面に形成されたクリップ部材の位置決めの機能を果たす凸部１ｃは、図３（Ｂ）に示したようにクリップ取り付け部側に向かう立ち上がり角度αが、クリップ取り付け部側より前記凸部１ｃに向かう立ち上がり角度βよりも緩斜面となるように構成されている。なお、前記したクリップ部材の位置決めの機能を果たす凸部１ｃは、図３（Ａ）に示すように、平板状になされその面が軸方向に平行となるように形成されている。
【００３５】
前記した構成により、図２に示した筆記具のキャッピング状態において、クリップ部材４を例えばポケットの縁などに挾み込もうとする場合には、前記凸部１ｃの緩斜面（角度α）に沿ってポケットの縁が挾み込まれることになり、クリップの装着操作を円滑にすることができる。また、この状態から外そうとする場合には、前記ポケットの縁から凸部１ｃに形成された急斜面（角度β）に沿ってクリップを引き出す必要があり、したがってこの時に作用する抵抗は大きく、それ故、クリップが不用意に外れるのを防止させることができる。
【００３６】
図４は前記した天冠部材２の外観構成をさらに拡大して示したものである。なお、（Ａ）および（Ｂ）は周方向に互いに直交する方向から視た状態の正面図および側面図であり、図４（Ｃ）は図４（Ｂ）におけるｂ−ｂ線より矢印方向に視た状態の一部断面図で示している。
【００３７】
図４（Ｂ）および（Ｃ）に示されたように、天冠部材２の側壁に形成された突出部２ａには、その軸方向の両側面に沿って一対の溝部２ｄ，２ｅが形成されている。この一対の溝部２ｄ，２ｅはすでに説明したクリップ部材４の取り付け部を構成するものである。そして、図４（Ｃ）に示すように各溝部２ｄ，２ｅには、図中下方向に向かって傾斜状になされた一対のテーパ部２ｆ，２ｈが形成されると共に、一対のオーバハング部２ｇ，２ｊが形成されている。すなわち、これら一対のテーパ部２ｆ，２ｈとオーバハング部２ｇ，２ｊによってそれぞれ鋸歯状の係止部が形成されている。
【００３８】
図５は前記したクリップ部材４の構成をさらに拡大して示したものである。なお、（Ａ）および（Ｂ）はそれぞれ正面図および側面図であり、（Ｃ）は図（Ａ）におけるｃ−ｃ線より矢印方向に視た状態の断面図で、また（Ｄ）は図（Ａ）におけるｄ−ｄ線より矢印方向に視た状態の断面図でそれぞれ示している。
【００３９】
図５（Ａ）および（Ｃ）に示されたように、前記クリップ部材４に形成された前記窓孔４ａの長手方向における一端部には、互いに内側に向かい合うようにして一対の鍔部４ｄ，４ｅが形成されており、これがクリップ部材の取り付け基部を構成している。そして、図５（Ａ）に示すように各鍔部４ｄ，４ｅには、図中上方向に向かって対向幅が縮小するようになされた一対のテーパ部４ｆ，４ｈが形成されると共に、これに続いて一対のオーバハング部４ｇ，４ｊが形成されている。すなわち、これら一対のテーパ部４ｆ，４ｈとオーバハング部４ｇ，４ｊによってそれぞれ鋸歯状の係止部が形成されている。
【００４０】
一方、前記クリップ部材４の他端部側には、すでに説明したとおり、クリップ位置決め用の凹部４ｂが形成されており、これは図４（Ｂ）および（Ｄ）に示されたようにクリップ部材４の長手方向に沿って溝状に形成されている。
【００４１】
前記した構成のクリップ部材４を、前記した天冠部材２におけるクリップ取り付け部に取り付けるには、クリップ部材４に形成された窓孔４ａ内に、天冠部材２の側壁に形成された突出部２ａを臨ませるように位置させる。そして、クリップ部材４に形成された一対の鍔部４ｄ，４ｅを、天冠部材２の突出部２ａに形成された一対の溝部２ｄ，２ｅに差し込むようにして、相対的に摺動させる動作を実行する。これにより、クリップ部材４の鍔部４ｄ，４ｅに形成された一対のテーパ部４ｆ，４ｈが、天冠部材２の各溝部２ｄ，２ｅに形成された傾斜状になされた一対のテーパ部２ｆ，２ｈに沿って、これを乗り越える。
【００４２】
この状態からさらに両者を同方向に相対的に摺動させることにより、クリップ部材４の鍔部４ｄ，４ｅに形成された一対のオーバハング部４ｇ，４ｊが、天冠部材２の各溝部２ｄ，２ｅに形成された一対のオーバハング部２ｇ，２ｊに嵌まり込んで係合し、クリップ部材４および天冠部材２における互いの鋸歯状の係止部が食い付き状態で嵌合される。これにより、図１に示した状態のクリップ付きのキャップ筒３を得ることができる。
【００４３】
前記したような操作により、前記天冠部材２に対してクリップ部材４を取り付けた場合においては、図１および図２に示したように前記したキャップ筒３に形成されたクリップ部材の位置決めの機能を果たす凸部１ｃが、クリップ部材４の先端部側に形成された位置決め用凹部４ｂに入り込んだ状態となる。
【００４４】
加えて、キャップ筒３側における前記凸部１ｃは平板状に形成されており、またクリップ部材４側に形成された前記凹部４ｂは溝状に形成され、したがって前記凸部１ｃは、前記溝状の凹部４ｇ内に遊嵌した状態になされる。それ故、クリップ部材４の先端部側に若干の力が作用しても、クリップ部材４の先端部が軸方向からずれるなどの外見上の不具合が発生するのを効果的に防止させることができる。
【００４５】
以上説明した実施の形態においては、キャップ筒に対して別部材として成形された天冠部材を嵌め込み、この天冠部材に対してクリップ部材を取り付けた構成にされているが、前記した天冠部材はキャップ筒と一体に成形し、このキャップ筒に対してクリップ部材を取り付けるように構成されていてもよい。
【００４６】
また、例えばノック式筆記具のようにキャップ筒が付帯されない筆記具においては、筆記具本体（軸筒）に対してクリップ部材を直接取り付ける構成が採用される。この場合においても前記した構成をそのまま採用することができ、同様の作用効果を得ることができる。
【図面の簡単な説明】
【００４７】
【図１】この発明にかかるクリップ付き筆記具の一例を示したキャップ筒の正面図および断面図である。
【図２】図１に示すキャップ筒を筆記具本体に装着した状態を筆記具本体の一部を省略して示した断面図である。
【図３】キャップ筒本体の外観構成を拡大して示した正面図および側面図である。
【図４】キャップ筒本体に取り付けられる天冠部材を拡大して示した正面図、側面図および断面図である。
【図５】天冠部材に取り付けられるクリップ部材を拡大して示した正面図、側面図および断面図である。
【符号の説明】
【００４８】
１          キャップ筒本体
１ａ        キャッピング用開口
１ｂ        縮径部
１ｃ        凸部
２          天冠部材
２ａ        突出部
２ｂ        有底穴
２ｄ，２ｅ  溝部（クリップ取り付け部）
２ｆ，２ｈ  テーパ部
２ｇ，２ｊ  オーバハング部
３          キャップ筒
４          クリップ部材
４ａ        窓孔
４ｂ        位置決め用凹部
４ｄ，４ｅ  鍔部
４ｆ，４ｈ  テーパ部
４ｇ，４ｊ  オーバハング部
５          シール部材
６          筆記具本体
６ａ        筆記チップ
【図１】
2006116756.tif 000003
【図２】
2006116756.tif 000004
【図３】
2006116756.tif 000005
【図４】
2006116756.tif 000006
【図５】
2006116756.tif 000007